【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
複数のセルが複数のセルグループにグループ化され、各セルグループが少なくとも２つのセルを含む通信システムで順方向リンクフレームを生成する方法において、
セルグループを識別するための２次同期信号を生成する段階と、
前記２次同期信号に相当するセルグループ内でセルを識別するための１次同期信号を生成する段階と、
前記１次同期信号及び前記２次同期信号を利用して順方向リンクフレームを生成する段階と
を含み、
前記順方向リンクフレームは時間領域で複数のシンボルを含み、
前記２次同期信号は少なくとも２つのシンボルにそれぞれ配置され、
互いに異なるシンボルに配置される前記２次同期信号は互いに異なるシーケンスであることを特徴とする順方向リンクフレーム生成方法。
【請求項２】
各セルは前記複数のセルグループのうちのいずれか１つのセルグループにのみ属することを特徴とする、請求項１に記載の順方向リンクフレーム生成方法。
【請求項３】
前記順方向リンクフレームは時間領域で複数のシンボルを含み、
前記１次同期信号及び前記２次同期信号は隣接した２つのシンボルにマッピングされることを特徴とする、請求項１に記載の順方向リンクフレーム生成方法。
【請求項４】
前記順方向リンクフレームは時間領域で複数のシンボルを含み、
前記１次同期信号は少なくとも２つのシンボルに繰り返して配置されることを特徴とする、請求項１に記載の順方向リンクフレーム生成方法。
【請求項５】
前記２次同期信号は前記順方向リンクフレームの開始のタイミング情報を提供することを特徴とする、請求項１に記載の順方向リンクフレーム生成方法。
【請求項６】
複数のセルが複数のセルグループにグループ化され、各セルグループが少なくとも２つのセルを含む通信システムの順方向リンクフレーム生成装置において、
セルグループを識別するための２次同期信号を生成する手段と、
前記２次同期信号に相当するセルグループ内でセルを識別するための１次同期信号を生成する手段と、
前記１次同期信号及び前記２次同期信号を利用して順方向リンクフレームを生成する手段と
を含み、
前記順方向リンクフレームは時間領域で複数のシンボルを含み、
前記２次同期信号は少なくとも２つのシンボルにそれぞれ配置され、
互いに異なるシンボルに配置される前記２次同期信号は互いに異なるシーケンスであることを特徴とする順方向リンクフレーム生成装置。
【請求項７】
各セルは前記複数のセルグループのうちのいずれか１つのセルグループにのみ属することを特徴とする、請求項６に記載の順方向リンクフレーム生成装置。
【請求項８】
前記順方向リンクフレームは時間領域で複数のシンボルを含み、
前記１次同期信号及び前記２次同期信号は隣接した２つのシンボルにマッピングされることを特徴とする、請求項６に記載の順方向リンクフレーム生成装置。
【請求項９】
前記順方向リンクフレームは時間領域で複数のシンボルを含み、
前記１次同期信号は少なくとも２つのシンボルに繰り返して配置されることを特徴とする、請求項６に記載の順方向リンクフレーム生成装置。
【請求項１０】
前記２次同期信号は前記順方向リンクフレームの開始のタイミング情報を提供することを特徴とする、請求項６に記載の順方向リンクフレーム生成装置。
【請求項１１】
複数のセルが複数のセルグループにグループ化され、各セルグループが少なくとも２つのセルを含む通信システムにおける移動局のセル探索方法において、
受信信号から１次同期信号と２次同期信号を検出する段階と、
前記２次同期信号と前記１次同期信号の情報を利用してセル識別子を識別する段階と
を含み、
前記２次同期信号は前記移動局が属したセルグループの情報を含み、
前記１次同期信号は前記セルグループ内のセルの中で前記移動局が属したセルの情報を含み、
前記受信信号のフレームは時間領域で複数のシンボルを含み、
前記２次同期信号は少なくとも２つのシンボルにそれぞれ配置され、
互いに異なるシンボルに配置される前記２次同期信号は互いに異なるシーケンスであることを特徴とするセル探索方法。
【請求項１２】
各セルは前記複数のセルグループのうちのいずれか１つのセルグループにのみ属することを特徴とする、請求項１１に記載のセル探索方法。
【請求項１３】
前記受信信号のフレームは時間領域で複数のシンボルを含み、
前記１次同期信号及び前記２次同期信号は隣接した２つのシンボルにマッピングされることを特徴とする、請求項１１に記載のセル探索方法。
【請求項１４】
前記受信信号のフレームは時間領域で複数のシンボルを含み、
前記１次同期信号は少なくとも２つのシンボルに繰り返して配置されることを特徴とする、請求項１１に記載のセル探索方法。
【請求項１５】
前記２次同期信号は順方向リンクフレームの開始のタイミング情報を提供することを特徴とする、請求項１１に記載のセル探索方法。
【請求項１６】
複数のセルが複数のセルグループにグループ化され、各セルグループが少なくとも２つのセルを含む通信システムにおける移動局のセル探索装置において、
受信信号から１次同期信号と２次同期信号を検出する手段と、
前記２次同期信号と前記１次同期信号の情報を利用してセル識別子を識別する手段と
を含み、
前記２次同期信号は前記移動局が属したセルグループの情報を含み、
前記１次同期信号は前記セルグループ内のセルの中で前記移動局が属したセルの情報を含み、
前記受信信号のフレームは時間領域で複数のシンボルを含み、
前記２次同期信号は少なくとも２つのシンボルにそれぞれ配置され、
互いに異なるシンボルに配置される前記２次同期信号は互いに異なるシーケンスであることを特徴とするセル探索装置。
【請求項１７】
各セルは前記複数のセルグループのうちのいずれか１つのセルグループにのみ属することを特徴とする、請求項１６に記載のセル探索装置。
【請求項１８】
前記受信信号のフレームは時間領域で複数のシンボルを含み、
前記１次同期信号及び前記２次同期信号は隣接した２つのシンボルにマッピングされることを特徴とする、請求項１６に記載のセル探索装置。
【請求項１９】
前記受信信号のフレームは時間領域で複数のシンボルを含み、
前記１次同期信号は少なくとも２つのシンボルに繰り返して配置されることを特徴とする、請求項１６に記載のセル探索装置。
【請求項２０】
前記２次同期信号は順方向リンクフレームの開始のタイミング情報を提供することを特徴とする、請求項１６に記載のセル探索装置。
【請求項２１】
複数のセルが複数のセルグループにグループ化され、各セルグループが少なくとも２つのセルを含む通信システムに、
セルグループを識別するための２次同期信号を生成する段階と、
前記２次同期信号に該当するセルグループ内でセルを識別するための１次同期信号を生成する段階と、
前記１次同期信号及び前記２次同期信号を利用して順方向リンクフレームを生成する段階と
を含む方法であって、
前記順方向リンクフレームは時間領域で複数のシンボルを含み、
前記２次同期信号は少なくとも２つのシンボルにそれぞれ配置され、
互いに異なるシンボルに配置される前記２次同期信号は互いに異なるシーケンスである、方法を実行させるためのプログラムが記録されたコンピュータで読み込むことができる記録媒体。
【請求項２２】
各セルは前記複数のセルグループのうちのいずれか１つのセルグループにのみ属することを特徴とする、請求項２１に記載のコンピュータで読み込むことができる記録媒体。
【請求項２３】
前記順方向リンクフレームは時間領域で複数のシンボルを含み、
前記１次同期信号及び前記２次同期信号は隣接した２つのシンボルにマッピングされることを特徴とする、請求項２１に記載のコンピュータで読み込むことができる記録媒体。
【請求項２４】
前記順方向リンクフレームは時間領域で複数のシンボルを含み、
前記１次同期信号は少なくとも２つのシンボルに繰り返して配置されることを特徴とする、請求項２１に記載のコンピュータで読み込むことができる記録媒体。
【請求項２５】
前記２次同期信号は前記順方向リンクフレームの開始のタイミング情報を提供することを特徴とする、請求項２１に記載のコンピュータで読み込むことができる記録媒体。
【請求項２６】
複数のセルが複数のセルグループにグループ化され、各セルグループが少なくとも２つのセルを含む通信システムで順方向リンクフレームを生成する方法において、
１次同期信号及び２次同期信号を生成する段階と、
前記１次同期信号及び前記２次同期信号を利用して前記順方向リンクフレームを生成する段階と
を含み、
前記１次同期信号と前記２次同期信号の組み合わせによって前記複数のセルグループのうちの１つのセルグループと前記１つのセルグループ内で１つのセルが識別され、
前記２次同期信号は前記１次同期信号に依存することを特徴とする順方向リンクフレーム生成方法。
【請求項２７】
前記順方向リンクフレームは時間領域で複数のシンボルを含み、
前記１次同期信号及び前記２次同期信号は隣接した２つのシンボルにマッピングされることを特徴とする、請求項２６に記載の順方向リンクフレーム生成方法。